(57)【要約】【課題】上吹出しタイプの室外機において、小型化を可能にしつつ、圧損の影響を可及的に小さくする。【解決手段】側面に空気吸込口が形成されるとともに、上面に空気吹出口が形成された筐体７と、前記筐体７の内部に前記側面に沿って設けられた熱交換器と、前記筐体７の内部において前記空気吹出口に臨んで設けられた送風ファンと、前記筐体７の内部において前記送風ファン４よりも下側に設けられ、空調用制御部品を収容する制御ボックス９とを具備し、上面視において、前記制御ボックス９が、前記空気吹出口と重ならない位置に設けられている。【選択図】図２
2016121864.tif 000002
【特許請求の範囲】
【請求項１】
側面に空気吸込口が形成されるとともに、上面に空気吹出口が形成された筐体と、
前記筐体の内部に前記側面に沿って設けられた熱交換器と、
前記筐体の内部において前記空気吹出口に臨んで設けられた送風ファンと、
前記筐体の内部において前記送風ファンよりも下側に設けられ、空調用制御部品を収容する制御ボックスとを具備し、
上面視において、前記制御ボックスが、前記空気吹出口と重ならない位置に設けられている空気調和機の室外機。
【請求項２】
側面に空気吸込口が形成されるとともに、上面に空気吹出口が形成された筐体と、
前記筐体の内部に前記側面に沿って設けられた熱交換器と、
前記筐体の内部において前記空気吹出口に臨んで設けられた送風ファンと、
前記筐体の内部において前記送風ファンよりも下側に設けられ、空調用制御部品を収容する制御ボックスとを具備し、
前記空気吹出口の水平投影面積をＳ１とし、前記空気吹出口を形成する開口部からの高さ方向の距離をＨとし、及び、当該距離Ｈにおける前記制御ボックスの水平投影及び前記開口部の水平投影の重複面積をＳ２とし、前記開口部及び前記制御ボックスの重複面積率をＳｃ（＝Ｓ２／Ｓ１）としたときに、
Ｓｃ≦２５．３３×Ｈ３−１．２０×Ｈ２＋０．５２×Ｈ＋０．０９の関係を満たすように構成されている空気調和機の室外機。
【請求項３】
側面に空気吸込口が形成されるとともに、上面に空気吹出口が形成された筐体と、
前記筐体の内部に前記側面に沿って設けられた熱交換器と、
前記筐体の内部において前記空気吹出口に臨んで設けられた送風ファンと、
前記筐体の内部において前記送風ファンよりも下側に設けられ、空調用制御部品を収容する制御ボックスとを具備し、
前記空気吹出口の水平投影面積をＳ１とし、前記空気吹出口を形成する開口部からの高さ方向の距離をＨとし、及び、当該距離Ｈにおける前記制御ボックスの水平投影及び前記開口部の水平投影の重複面積をＳ２とし、前記開口部及び前記制御ボックスの重複面積率をＳａ（＝Ｓ２／Ｓ１）とし、前記空気吸込口の風速をＵとしたときに、
Ｓｃ≦１／（３．７１×Ｕ）の関係を満たすように構成されている空気調和機の室外機。
【請求項４】
前記筐体が概略直方体形状をなすものであり、
前記筐体の上面に１つの空気吹出口が形成されており、
前記制御ボックスが、前記筐体の上面視における角部に設けられている請求項１乃至３の何れか一項に記載の空気調和機の室外機。
【請求項５】
前記筐体が概略直方体形状をなすものであり、
前記筐体の上面に２つの空気吹出口が形成されており、
前記制御ボックスが、前記筐体の上面視における角部、又は、上面視において前記２つの空気吹出口と側面との間に設けられている請求項１乃至３の何れか一項に記載の空気調和機の室外機。
【請求項６】
前記制御ボックスが、前記空気吹出口の輪郭に沿った面を有している請求項１乃至５の何れか一項に記載の空気調和機の室外機。
【請求項７】
前記制御ボックスが、上面視において概略三角形状又は概略台形状である請求項１乃６の何れか一項に記載の空気調和機の室外機。
【請求項８】
前記制御ボックスが、上面視において、概略三角形状又は概略台形状をなす第１ボックス部と、当該第１ボックス部の底辺部に連続して設けられ、前記第１ボックス部よりも薄い薄型直方体形状をなす第２ボックス部とを有する請求項１乃至６の何れか一項に記載の空気調和機の室外機。
【請求項９】
前記第１ボックス部にインバータ回路等の駆動系基板が収容されている請求項７記載の空気調和機の室外機。
【請求項１０】
前記第２ボックス部が、前記第１ボックス部との接続部を回転中心として回転可能とされている請求項８又は９記載の空気調和機の室外機。
【請求項１１】
前記第２ボックス部が、前記第１ボックス部に対して分離可能に構成されている請求項８又は９記載の空気調和機の室外機。
【請求項１２】
前記制御ボックスの下部が、下側に行くに連れて水平投影面積が小さくなるように構成されている請求項１乃至６の何れか一項に記載の空気調和機の室外機。
【請求項１３】
前記制御ボックスは、前記重複面積率が前記制御ボックスの上部から下部において段階的に大きくなるように構成されている請求項１乃至６の何れか一項に記載の空気調和機の室外機。
【請求項１４】
前記筐体の上面視における四つ角に設けられた枠体とは別に、前記筐体の上下に延びる支柱を有し、
前記制御ボックスが前記支柱に固定されている請求項１乃至１３の何れか一項に記載の空気調和機の室外機。
【発明の詳細な説明】
【技術分野】
【０００１】
本発明は、空気調和機の室外機に関するものである。
【背景技術】
【０００２】
従来、空気調和機における上吹出しタイプの室外機では、その性能及び容量を増大させるために、熱交換器の伝熱面積（伝熱管の有効長さ）を可能な限り増加させることや、送風ファンによる風量を増加させること等の手段が講じられている。
【０００３】
ところが、伝熱面積を増加させると熱交換器のサイズが大きくなり、また、風量を増加させると送風ファンのサイズが大きくなってしまうので、室外機の筐体内部の空間が狭くなってしまう。また、容量増加に伴ってそれらの制御部品もサイズが大きくなってしまい、制御部品を収容する制御ボックスのサイズも大きくなってしまう。その結果、制御ボックスを筐体の内部に配置した場合、当該制御ボックスによって、送風ファンの気流の圧損となり、熱交換効率が低下してしまうだけでなく、騒音も増加してしまうという問題がある。
【０００４】
一方で、特許文献１に示すように、上吹出しタイプの室外機において、送風ファンの側方に制御ボックスを配置した構成のものが考えられている。
【０００５】
ところが、この構成では、送風ファン及び制御ボックスが横に並んで配置されているので、送風ファンのサイズが制御ボックスのサイズに制限されてしまい、送風ファンの風量増加が阻害されてしまう。また、制御ボックスの高さ寸法により、室外機全体の高さが押し上げられてしまい、室外機のコンパクト化も阻害されてしまう。
【先行技術文献】
【特許文献】
【０００６】
【特許文献１】特許第５２７０３７７号公報
【発明の概要】
【発明が解決しようとする課題】
【０００７】
そこで本発明は、上記問題点を解決すべくなされたものであり、上吹出しタイプの室外機において、小型化を可能にしつつ、圧損の影響を可及的に小さくすることを主たる課題とするものである。
【課題を解決するための手段】
【０００８】
すなわち本発明に係る空気調和機の室外機は、側面に空気吸込口が形成されるとともに、上面に空気吹出口が形成された筐体と、前記筐体の内部に前記側面に沿って設けられた熱交換器と、前記筐体の内部において前記空気吹出口に臨んで設けられた送風ファンと、前記筐体の内部において前記送風ファンよりも下側に設けられ、空調用制御部品を収容する制御ボックスとを具備し、上面視において、前記制御ボックスが、前記空気吹出口と重ならない位置に設けられていることを特徴とする。
このように構成した空気調和機の室外機によれば、筐体の内部において制御ボックスが送風ファンの下側に設けられているので、上吹出しタイプの室外機の高さ寸法の小型化を可能にしつつ、送風ファンを可及的に大きくすることができる。また、上面視において、制御ボックスが、空気吹出口と重ならない位置に設けられているので、送風ファンの気流の圧損を可及的に小さくすることができ、熱交換器の熱交換効率の低下を防ぐことができ、騒音に低減することができる。
【０００９】
また、本発明に係る空気調和機の室外機は、側面に空気吸込口が形成されるとともに、上面に空気吹出口が形成された筐体と、前記筐体の内部に前記側面に沿って設けられた熱交換器と、前記筐体の内部において前記空気吹出口に臨んで設けられた送風ファンと、前記筐体の内部において前記送風ファンよりも下側に設けられ、空調用制御部品を収容する制御ボックスとを具備し、前記空気吹出口の水平投影面積をＳ１とし、前記空気吹出口からの高さ方向の距離をＨとし、当該距離Ｈにおける前記制御ボックスの水平投影及び前記空気吹出口の水平投影の重複面積をＳ２とし、及び、前記空気吹出口及び前記制御ボックスの重複面積率をＳｃ（＝Ｓ２／Ｓ１）としたときに、Ｓｃ≦２５．３３×Ｈ３−１．２０×Ｈ２＋０．５２×Ｈ＋０．０９の関係を満たすように構成されていることを特徴とする。なお、複数の送風ファン及びこれに対応して形成された複数の空気吹出口を有する場合には、Ｓ１は、全ての空気吹出口の水平投影面積の合計である。
このように構成した空気調和機の室外機によれば、制御ボックスの形状や配置を、重複面積率等をパラメータとして設計することができ、送風ファンの気流の圧損を可及的に小さくすることができ、熱交換器の熱交換効率の低下を防ぐことができ、騒音に低減することができる。
【００１０】
さらに、本発明に係る空気調和機の室外機は、側面に空気吸込口が形成されるとともに、上面に空気吹出口が形成された筐体と、前記筐体の内部に前記側面に沿って設けられた熱交換器と、前記筐体の内部において前記空気吹出口に臨んで設けられた送風ファンと、前記筐体の内部において前記送風ファンよりも下側に設けられ、空調用制御部品を収容する制御ボックスとを具備し、前記空気吹出口の水平投影面積をＳ１とし、前記空気吹出口からの高さ方向の距離をＨとし、当該距離Ｈにおける前記制御ボックスの水平投影及び前記空気吹出口の水平投影の重複面積をＳ２とし、前記空気吹出口及び前記制御ボックスの重複面積率をＳａ（＝Ｓ２／Ｓ１）とし、及び、前記空気吸込口の風速をＵとしたときに、Ｓｃ≦１／（３．７１×Ｕ）の関係を満たすように構成されていることを特徴とする。
このように構成した空気調和機の室外機によれば、制御ボックスの形状や配置を、重複面積率等をパラメータとして設計することができ、送風ファンの気流の圧損を可及的に小さくすることができ、熱交換器の熱交換効率の低下を防ぐことができ、騒音に低減することができる。
【００１１】
前記筐体が概略直方体形状をなすものであり、前記筐体の上面に１つの空気吹出口が形成されており、前記制御ボックスが、前記筐体の上面視における角部に設けられていることが望ましい。
この構成ならば、１つの送風ファンを有する上吹出しタイプの室外機において、デッドスペースを有効に活用しつつ制御ボックスを無理なく配置することができる。
【００１２】
前記筐体が概略直方体形状をなすものであり、前記筐体の上面に２つの空気吹出口が形成されており、前記制御ボックスが、前記筐体の上面視における角部、又は、上面視において前記２つの空気吹出口と側面との間に設けられていることが望ましい。
この構成ならば、２つの送風ファンを有する上吹出しタイプの室外機において、デッドスペースを有効に活用しつつ制御ボックスを無理なく配置することができる。
【００１３】
前記制御ボックスが、前記空気吹出口の輪郭に沿った面を有していることが望ましい。つまり、制御ボックスが、送風ファンの回転方向に沿った面を有していることが望ましい。
この構成ならば、制御ボックスが送風ファンにより生じる気流に対して抵抗となり難くすることができ、圧損を一層低減することができる。
【００１４】
前記制御ボックスの具体的な形状としては、上面視において概略三角形状又は概略台形状であることが考えられる。
【００１５】
前記制御ボックスが、上面視において、概略三角形状又は概略台形状をなす第１ボックス部と、当該第１ボックス部の底辺部に連続して設けられ、前記第１ボックス部よりも薄い薄型直方体形状をなす第２ボックス部とを有することが望ましい。
この構成ならば、単一の制御ボックスに全ての制御部品の収納が難しい場合や、熱的な問題から互いに分離する必要のある場合などにおいて、第１ボックス部及び第２ボックス部に分けて収容することができる。
【００１６】
インバータ回路等の駆動系基板は、コイルやキャパシタを有しており、比較的大型となるだけでなく、高熱になる。このため、前記第１ボックス部にインバータ回路等の駆動系基板が収容されていることが望ましい。
第１ボックス部に駆動系基板を収容することで、無理なく制御ボックスに収容することができるとともに、それによって生じた熱を他の制御部品に伝わりにくくすることができる。
【００１７】
前記第２ボックス部が、前記第１ボックス部との接続部を回転中心として回転可能とされていることが望ましい。また、前記第２ボックス部が、前記第１ボックス部に対して分離可能に構成されていることが望ましい。
この構成ならば、制御ボックスを筐体の取り付けた後に、当該制御ボックスの後部に位置する配管部品の組み立て性やメンテナンス性を阻害することが無い。
【００１８】
制御ボックスの下方に空気が滞留し難くするためには、前記制御ボックスの下部が、下側に行くに連れて水平投影面積が小さくなるように構成されていることが望ましい。
【００１９】
組み立て性を向上させるためには。前記制御ボックスは、前記重複面積率が前記制御ボックスの上部から下部において段階的に大きくなるように構成されていることが望ましい。
【００２０】
前記筐体の上面視における四つ角に設けられた枠体とは別に、前記筐体の上下に延びる支柱を有し、前記制御ボックスが前記支柱に固定されていることが望ましい。
この構成ならば、枠体とは別に支柱を設けているので、当該支柱が補強部材として機能し、室外機の強度を向上させることができる。また、当該支柱に制御ボックスが固定されているので、制御ボックスに収容された制御部品に振動が伝わりにくくなり、振動による制御部品の信頼性の低下を防ぐことができる。
【発明の効果】
【００２１】
このように構成した本発明によれば、筐体の内部において制御ボックスが送風ファンの下側に設けられるとともに、上面視において、制御ボックスが、空気吹出口と重ならない位置に設けられているので、上吹出しタイプの室外機において、小型化を可能にしつつ、圧損の影響を可及的に小さくすることができる。
【図面の簡単な説明】
【００２２】
【図１】第１実施形態における空気調和機の室外機の前面板を取り外した状態の斜視図。
【図２】第１実施形態の室外機の上面図。
【図３】第１実施形態の制御ボックスを示す斜視図。
【図４】第１実施形態の制御ボックスの横断面図。
【図５】第１実施形態の制御ボックス回転状態を示す横断面図。
【図６】制御ボックスの変形例を示す斜視図。
【図７】第２実施形態の室外機の上面図。
【図８】第２実施形態の高さ方向の距離Ｈ及び面積Ｓ１、Ｓ２を示す模式図。
【図９】吹出し開口部及び電装部品の距離（ｍｍ）と、吹出し開口部及び電装部品の重複面積率（％）と、全機内圧損に対する電装部品の圧損の割合（％）との関係を示すグラフ。
【図１０】制御ボックスの一例を示す斜視図及び側面図。
【発明を実施するための形態】
【００２３】
＜＜第１実施形態＞＞
以下に本発明に係る空気調和機の室外機の第１実施形態について図面を参照して説明する。
【００２４】
本実施形態に係る空気調和機の室外機１００は、少なくとも室内熱交換器を有する室内機と配管接続されて空気調和機を構成するものであり、図１及び図２に示すように、少なくとも圧縮機２、室外熱交換器３、それらを接続する冷媒配管（不図示）、送風ファン４及び空調制御を行うための制御機器５を有している。その他、室外機１００には、四方弁及び膨張弁（いずれも不図示）などが設けられている。
【００２５】
具体的に室外機１００は、上吹出しタイプのものであり、前記圧縮機２及び前記室外熱交換器３が搭載される概略矩形状をなすベース板６と、前記圧縮機２及び前記室外熱交換器３を覆うように設けられた概略直方体形状をなす筐体７とを備えている。
【００２６】
ベース板６は、左右に長手方向を有する概略矩形状をなすものであり、２つの圧縮機２（２１、２２）及び当該２つの圧縮機２１、２２を取り囲むように設けられた室外熱交換器３が搭載されている。
【００２７】
前記室外熱交換器３は、特に図２に示すように、前記ベース板６上において、２つの圧縮機２１、２２を取り囲むように設けられている。具体的に室外熱交換器３は、上面視において、左側の圧縮機２１の左側及び後側の全体を取り囲むとともに、右側の圧縮機２２の右側及び後側の全体を取り囲む屈曲した形状をなすものである。これにより、室外熱交換器３は、上面視において、ベース板６の左右側辺及び後辺に沿って設けられる構成となる。
【００２８】
前記筐体７は、左右側面７ａ、７ｂ及び後面（背面）７ｃにそれぞれ空気吸込口７Ｐが形成されている（図２参照）。これにより、筐体７の内部において左右側面７ａ、７ｂ及び背面７ｃに沿って、熱交換器３が設けられる構成となる。
【００２９】
また、筐体７は、特に図２に示すように、上面７ｅに２つの空気吹出口７Ｑが左右に並んで形成されている。具体的には、筐体７の上部に、送風ファン４が設けられるベルマウス８が左右に並んで配置されており、当該ベルマウス８の上部開口が、前記筐体７の上面７ｅに設けられた空気吹出口７Ｑとなる。これにより、筐体７の内部において、前記空気吹出口７Ｑに臨んで送風ファン４が設けられる構成となる。
【００３０】
さらに、筐体７の内部において、前記ベルマウス８よりも下側に、制御機器５を構成する空調用制御部品５１を収容する制御ボックス９が設けられている。これにより、筐体７の内部において、送風ファン４よりも下側に制御ボックス９が設けられる構成となる（図１参照）。つまり、制御ボックス９は、空気吸込口７Ｐ及び空気吹出口７Ｑの間において送風ファン４により生じる空気流の流路上に配置されている。
【００３１】
しかして本実施形態の制御ボックス９は、図２に示すように、室外機１００の上面視において、前記空気吹出口７Ｑと重ならない位置に設けられている。つまり、制御ボックス９は、室外機１００の上面視において、ベルマウス８の開口空間、言い換えれば、送風ファン４の回転領域と重ならない位置に設けられている。具体的に制御ボックス９は、上面視において、前記２つの空気吹出口７Ｑと筐体７の前面７ｄとの間に設けられている。
【００３２】
具体的に制御ボックス９は、図３及び図４に示すように、上面視において、概略台形状をなす第１ボックス部９１と、当該第１ボックス部９１の底辺部に連続して側方に設けられ、前記第１ボックス部９１よりも薄い薄型直方体形状をなす第２ボックス部９２とを有する。なお、この制御ボックス９は、上下方向において概略等断面形状をなすものである。また、本実施形態の第１ボックス部９１及び第２ボックス部９２はともに、前面側が開口しており、筐体７の前面７ｄにより覆われる。
【００３３】
第１ボックス部９１には、制御部品５１のうち駆動系基板５１ａが収容されている。この駆動系基板５１ａとしては、例えば圧縮機２を回転駆動させるインバータ回路や送風ファン４を回転駆動させるインバータ回路等である。そして、この第１ボックス部９１において、上底（後側面）と下底（前側面）との間に形成される２つの傾斜壁９１１、９１２の内面に、各駆動系基板５１ａが取り付けられる。つまり、駆動系基板５１ａを構成するコイルやキャパシタは、第１ボックス部９１の内部において中央部を向いて斜めに配置される。また、第２ボックス部９２には、前記第１ボックス部９１とは仕切られた空間を有し、制御部品５１のうちメイン制御基板５１ｂ、通信基板５１ｃ、中継基板５１ｄ等が収容されている。
【００３４】
このように第１ボックス部９１に駆動系基板５１ａを収容し、第２ボックス部９２にそれ以外の制御部品５１を収容しているので、制御部品５１を無理なく制御ボックス９に収容することができるとともに、駆動系基板５１ａによって生じた熱を他の制御部品５１に伝わりにくくすることができる。
【００３５】
このように構成された制御ボックス９は、図２に示すように、上面視において、前記２つの空気吹出口７Ｑと筐体７の前面７ｄとの間に位置するように取り付けられている。具体的には、上面視において、前記２つの空気吸込口７Ｑの間に前記第１ボックス部９１が位置するように取り付けられている。つまり、前記第１ボックス部９１の両側に設けられた２つの傾斜壁９１１、９１２の外面が、前記２つの空気吸込口７Ｑに沿うように取り付けられている。このように取り付けることによって、２つの傾斜壁９１１、９１２の外面が、前記空気吹出口７Ｑの輪郭に沿った面となる。つまり、２つの傾斜壁９１１、９１２の外面が、送風ファン４により生じる気流を送風ファン４の回転方向に沿ってガイドする面となり、抵抗が生じ難くなるように構成されている。また、第２ボックス部９２は、右側の空気吹出口７Ｑと前記筐体７の前面７ｄとの間に位置するように取り付けられている。
【００３６】
この制御ボックス９は、筐体７の上面視における四つ角に設けられた枠体とは別に、前記筐体７の前面側において上下に延びる支柱１０に固定されている（図１参照）。具体的に制御ボックス９の第１ボックス部９１が支柱１０にねじ固定されている。このように枠体とは別に支柱１０を設けているので、当該支柱１０が補強部材として機能し、室外機１００の強度を向上させることができる。また、当該支柱１０に制御ボックス９が固定することで、制御ボックス９に収容された制御部品５１に振動が伝わりにくくなり、振動による制御部品５１の信頼性の低下を防ぐことができる。
【００３７】
さらに、図５に示すように、第２ボックス部９２が、前記第１ボックス部９１との接続部（第１ボックス部９１の右側端部）を回転中心として回転可能とされている。この回転可能にする構成としては、例えば、第１ボックス部９１の右側端部に引っ掛け用の孔を設け、第２ボックス部９２の左側端部に引っ掛け用の爪を設けて、それら孔と爪とを係合させることにより回転可能にしても良い。この場合、第２ボックス部９２は、第１ボックス部９１に対して分離可能に構成される。第１ボックス部９１の右側端部及び第２ボックス部９２の左側端部に接続された蝶番等のヒンジ部により回転可能にしても良い。これならば、制御ボックス９を筐体７の取り付けた後であっても、第２ボックス部９２を第１ボックス部９１に対して回転可能にしているので、当該制御ボックス９の後部に位置する配管部品、四方弁又は膨張弁へのアクセスが容易となり、組み立て性やメンテナンス性を阻害することが無い。なお、第２ボックス部９２を第１ボックス部９１に対して着脱可能に構成しても良い。
【００３８】
このように構成した空気調和機の室外機１００によれば、筐体７の内部において制御ボックス９が送風ファン４の下側に設けられているので、上吹出しタイプの室外機１００の高さ寸法の小型化を可能にしつつ、送風ファン４を可及的に大きくすることができる。
【００３９】
また、上面視において、制御ボックス９が、空気吹出口７Ｑと重ならない位置に設けられているので、送風ファン４の気流の圧損を可及的に小さくすることができ、室外熱交換器３の熱交換効率の低下を防ぐことができ、騒音に低減することができる。
【００４０】
このとき、制御ボックス９を、上面視において前記２つの空気吹出口７Ｑと筐体７の前面７ｄとの間に設けられているので、２つの送風ファン４を有する上吹出しタイプの室外機１００において、デッドスペースを有効に活用しつつ制御ボックス９を空気吹出口と重ならない位置に無理なく配置することができる。
【００４１】
さらに、制御ボックス９が、制御ボックス９を空気吹出口７Ｑと重ならない形状を有するとともに、空気吹出口７Ｑの輪郭に沿った面９１１、９１２を有しているので、制御ボックス９が送風ファン４により生じる気流に対して抵抗となり難くすることができ、圧損を一層低減することができる。
【００４２】
なお、本発明は前記第１実施形態に限られるものではない。
例えば、前記第１実施形態において、制御ボックス９を、前記筐体７の上面視における角部、具体的には、筐体７の前面及び左側面の間の角部、又は、筐体７の前面又は右側面の間の角部に設けても良い。
【００４３】
また、室外機は、２つの送風ファン４を有するものに限られず、１つの送付ファンを有するものであっても良い。この場合、制御ボックス９を、前記筐体７の上面視における角部に設けることで、デッドスペースを有効に活用しつつ制御ボックス９を空気吹出口と重ならない位置に無理なく配置することができる。
【００４４】
さらに、制御ボックス９は、前記第１実施形態の形状に限られず、上面視において概略台形状をなす第１ボックス部９１のみを有するものであっても良いし、上面視において概略三角形状をなす第１ボックス部９１のみを有するものであっても良い。また、第２ボックス部９２は、薄い薄型直方体形状をなすものに限られず、第１ボックス部９１から離れる従って徐々に薄くなる概略くさび形状をなすものであっても良い。
【００４５】
その上、図６に示すように、制御ボックス９の下部に空気導入部（空気導入孔）９ａを設け、制御ボックス９の上部に空気導出部（空気導出孔）９ｂを設けても良い。これにより、送風ファン４の気流に引っ張られて制御ボックス９内を空気が通過する構成とし、制御ボックス９内部の熱を外部に排出することができる。したがって、基板上の部品の温度が耐熱温度を超えないようにして、基板の熱破損を防ぐことができる。図６では、制御ボックス９の下壁に空気導入部９ａが形成され、制御ボックス９の上壁に空気導出部９ｂが形成されている。また、図６では、空気導出部９ｂは側方に開口しているが、上方に開口したものであっても良い。
【００４６】
ここで、２つの送風ファン４を有する室外機の場合、制御ボックス９の２つの傾斜壁は、左右ぞれぞれの２つの送風ファン４の回転方向接線と一致しており、制御ボックス９の上壁に形成された空気導出部９ｂは、２つの傾斜壁９１１、９１２それぞれに沿って２つ形成されている。これにより、左側の傾斜壁９１１の内面に取り付けられた駆動系基板５１ａからの熱は、左側の送風ファン４により引っ張られる気流によって左側の空気導出部９ｂから排熱され、右側の傾斜壁９１２の内面に取り付けられた駆動系基板５１ａからの熱は、右側の送風ファン４により引っ張られる気流によって右側の空気導出部９ｂから排熱される。なお、この図６においては、第２ブロック部９２の下壁にも空気導入孔９ａが形成され、第１ブロック部９１及び第２ブロック部９２の間の仕切壁に連通孔９１ｃが形成されており、第２ブロック部９２の熱を空気導出口９ａから排熱されるように構成されている。
【００４７】
＜＜第２実施形態＞＞
次に本発明に係る空気調和機の室外機の第２実施形態について図面を参照して説明する。なお、前記第１実施形態と同一又は対応する部材には同一の符号を付して説明する。
【００４８】
第２実施形態の室外機１００は、前記第１実施形態とは空気吹出口７Ｑと制御ボックス９との位置関係が異なる。具体的には、図７に示すように、制御ボックス９は、制御器１００の上面視において、前記空気吹出口７Ｑと一部重なるように設けられている。つまり、制御ボックス９は、室外機１００の上面視において、ベルマウス８の開口空間と一部重なるように設けられている。なお、図７では、制御ボックスが上面視概略三角形状（具体的には二等辺三角形）をなすものであり、具体的には、筐体７の奥行き寸法をＡ、２つの空気吹出口７Ｑの中心距離（２つの送風ファン４の回転中心距離）をＬとしたときに、三角形の奥行き寸法（高さ）が略Ａ／２であり、三角形の幅寸法（底辺）がＬとなる二等辺三角形である。
【００４９】
そして、図８に示すように、前記空気吹出口７Ｑの水平投影面積をＳ１とし、前記空気吹出口７Ｑを形成する開口部（ベルマウス８）の下端からの高さ方向の距離をＨとし、及び、当該距離Ｈにおける前記制御ボックス９の水平投影及び前記開口部の水平投影の重複面積をＳ２とし、前記開口部及び前記制御ボックス９の重複面積率をＳｃ（＝Ｓ２／Ｓ１）としたときに、Ｓｃ≦２５．３３×Ｈ３−１．２０×Ｈ２＋０．５２×Ｈ＋０．０９の関係を満たすように、空気吹出口７Ｑ（開口部）及び制御ボックス９との位置関係が設定されている。なお、前記水平投影面積Ｓ１は、２つの開口部それぞれの水平投影面積Ｓａ、Ｓｂの合計（Ｓ１＝Ｓａ＋Ｓｂ）である。上記の関係式は、全機内圧損に対する制御ボックス９の圧損の割合が２０％以内となるための関係式である。また、開口部（吹出し開口部）及び制御ボックス（電装部品）の距離（ｍｍ）と、開口部（吹出し開口部）及び制御ボックス（電装部品）の重複面積率（％）と、全機内圧損に対する制御ボックス（電装部品）の圧損の割合（％）との関係は、図９に示す通りである。その他、全機内圧損に対する制御ボックス９の圧損の割合を１２．５％以内とした場合、前記関係式は、Ｓｃ≦７．８０×Ｈ３−１．８５×Ｈ２＋０．４０×Ｈ＋０．０４となる。
【００５０】
この関係式を満たすように制御ボックス９の形状及び位置を設定することによって、全機内圧損に対する制御ボックス９の圧損の割合が２０％以内にすることができる。例えば、図１０に示すように、制御ボックス９は、前記重複面積率Ｓｃが前記制御ボックス９の上部から下部において段階的に大きくなるように構成することが考えられる。この場合、各段毎（図１０では、上段９ｍ及び下段９ｎ）に分離可能にしても良い。
【００５１】
また、前記制御ボックス９の下部（図１０では、下段９ｎの下部）が、下側に行くに連れて水平投影面積が小さくなるように構成することも考えられる。つまり、下段９ｎの下部において、内側に傾斜面９ｎｘが形成されている。これにより、制御ボックス９の下方における空気の滞留を防ぐことができる。
【００５２】
このように構成した空気調和機の室外機１００によれば、制御ボックス９の形状や配置を、重複面積率等をパラメータとして設計することができ、送風ファン４の気流の圧損を可及的に小さくすることができ、熱交換器３の熱交換効率の低下を防ぐことができ、騒音に低減することができる。
【００５３】
なお、本発明は前記第２実施形態に限られるものではない。
例えば、空気吹出口を形成する開口部の水平投影面積をＳ１とし、前記開口部からの高さ方向の距離をＨとし、及び、当該距離Ｈにおける前記制御ボックスの水平投影及び前記開口部の水平投影の重複面積をＳ２とし、前記開口部及び前記制御ボックスの重複面積率をＳａ（＝Ｓ２／Ｓ１）とし、前記空気吸込口の風速をＵとしたときに、Ｓｃ≦１／（３．７１×Ｕ）の関係を満たすように、空気吹出口７Ｑ（開口部）及び制御ボックス９との位置関係を設定しても良い。
【００５４】
また、制御ボックスは、前記第２実施形態に記載したものに限られず、例えば制御ボックスは、前記重複面積率Ｓｃが前記制御ボックスの上部から下部において連続的に大きくなるように構成しても良い。
【００５５】
その他、本発明は前記実施形態に限られず、その趣旨を逸脱しない範囲で種々の変形が可能であるのは言うまでもない。
【符号の説明】
【００５６】
１００・・・空気調和機の室外機
２    ・・・圧縮機
３    ・・・室外熱交換器
４    ・・・送風ファン
５１  ・・・空調用制御部品
５１ａ・・・駆動系基板
７    ・・・筐体
７ａ  ・・・左側面
７ｂ  ・・・右側面
７ｃ  ・・・後面
７ｄ  ・・・前面
７ｅ  ・・・上面
７Ｐ  ・・・空気吸込口
７Ｑ  ・・・空気吹出口
９    ・・・制御ボックス
９１  ・・・第１ボックス部
９２  ・・・第２ボックス部
１０  ・・・支柱
【図１】
2016121864.tif 000003
【図２】
2016121864.tif 000004
【図３】
2016121864.tif 000005
【図４】
2016121864.tif 000006
【図５】
2016121864.tif 000007
【図６】
2016121864.tif 000008
【図７】
2016121864.tif 000009
【図８】
2016121864.tif 000010
【図９】
2016121864.tif 000011
【図１０】
2016121864.tif 000012